(57)【要約】【課題】回路部品を増やすことなく、赤外線通信機能を一般的な使用法のみならず、被対象物までの距離測定に用いることが可能な携帯電話装置を提供する。【解決手段】赤外線送受信部１１は発光素子１１ａと受光素子１１ｂとを備え、これら発光素子１１ａ及び受光素子１１ｂによってデータ送受信等の通常の赤外線通信を行う。演算部１２は赤外線送受信部１１から入力される発光素子１１ａからの照射開始及び受光素子１１ｂでの受光検出のタイミング差から被対象物２までの距離を演算する。ＢＢ  ＬＳＩ１３は演算部１２からのデータに応じてＬＣＤモジュール１４へその演算情報を表示する。【選択図】      図１
2004325609.tif 000002
【特許請求の範囲】
【請求項１】
データ送受信を行うための赤外線通信機能を持つ携帯電話装置であって、前記赤外線通信機能からの赤外線の照射タイミングと被対象物から反射した赤外線の前記赤外線通信機能での受光タイミングとから前記被対象物との間の距離を演算する演算手段を有することを特徴とする携帯電話装置。
【請求項２】
前記演算手段の演算結果を基に前記被対象物との間の距離を表示する表示手段を含むことを特徴とする請求項１記載の携帯電話装置。
【請求項３】
前記演算手段の演算結果を基に前記赤外線の光度の切替えを行う手段を含むことを特徴とする請求項１または請求項２記載の携帯電話装置。
【請求項４】
前記演算手段の演算結果を基にカメラの焦点距離を切替える手段を含むことを特徴とする請求項１から請求項３のいずれか記載の携帯電話装置。
【請求項５】
前記演算手段の演算結果を基にカメラ用ライトの発光制御を行う手段を含むことを特徴とする請求項１から請求項４のいずれか記載の携帯電話装置。
【請求項６】
予め設定された符号列を前記赤外線通信機能に与えることで前記赤外線通信機能から前記被対象物へ特定光度の赤外線を照射することを特徴とする請求項１から請求項５のいずれか記載の携帯電話装置。
【発明の詳細な説明】
【０００１】
【発明の属する技術分野】
本発明は携帯電話装置に関し、特に赤外線にてデータの送受信を行う赤外線通信機能を有する携帯電話装置に関する。
【０００２】
【従来の技術】
近年、携帯電話装置においては、携帯電話装置同士、あるいはパーソナルコンピュータ等の情報処理装置との間でデータ送受信を行うために、ＩｒＤＡ（Ｉｎｆｒａｒｅｄ  Ｄａｔａ  Ａｓｓｏｃｉａｔｉｏｎ）、ＩｒＤＡ  Ｃｏｎｔｒｏｌ等の赤外線を用いた通信規格の機器が搭載されている。
【０００３】
上記の赤外線によるデータ送受信は携帯電話装置に搭載された住所録や着信履歴、発信履歴、着信メロディ等の機能を上記の情報処理装置において整理編集するために用いられることがある。また、赤外線によるデータ送受信機器自体はテレビやビデオ装置等をコントロールするためのリモコン（リモートコントロール）機器として用いられることもある（例えば、特許文献１，２参照）。
【０００４】
【特許文献１】
特開２００１−２３７９２５号公報（第４〜６頁、図１）
【特許文献２】
特開２００１−３０９２８８号公報（第６，７頁、図１）
【０００５】
【発明が解決しようとする課題】
上述した従来の携帯電話装置では、赤外線通信機能を備えていても、情報処理装置との間のデータ送受信、テレビやビデオ装置等をコントロールするためのリモコンというような一般的な使用法のみに対応するものである。
【０００６】
そこで、本発明の目的は上記の問題点を解消し、回路部品を増やすことなく、赤外線通信機能を一般的な使用法のみならず、被対象物までの距離測定に用いることができる携帯電話装置を提供することにある。
【０００７】
【課題を解決するための手段】
本発明による携帯電話装置は、データ送受信を行うための赤外線通信機能を持つ携帯電話装置であって、前記赤外線通信機能からの赤外線の照射タイミングと被対象物から反射した赤外線の前記赤外線通信機能での受光タイミングとから前記被対象物との間の距離を演算する演算手段を備えている。
【０００８】
すなわち、本発明の携帯電話装置は、データ送受信のための赤外線通信機能を持つ装置において、その赤外線通信機能を用いて、回路部品の追加をすることなく、被対象物との間の距離測定に使用可能とすることを特徴としている。
【０００９】
より具体的に説明すると、本発明の携帯電話装置では、赤外線送受信部から赤外線を照射し、被対象物で反射してきた赤外線を赤外線送受信部で検出し、その送受光のタイミング差から被対象物までの距離を測定している。
【００１０】
これによって、本発明の携帯電話装置では、従来の赤外線送受信部を利用し、回路部品を増やすことなく、被対象物との距離を測定可能とし、距離測定はもちろん、赤外線通信時の省電力・品質向上、カメラの焦点距離調整、カメラ用ライトの光度調整等を可能としている。
【００１１】
【発明の実施の形態】
次に、本発明の実施例について図面を参照して説明する。図１は本発明の一実施例による携帯電話装置の構成を示すブロック図である。図１において、携帯電話装置１は赤外線によるデータ送受信を行う赤外線送受信部１１と、赤外線送受信部１１の出力を入力とする演算部１２と、演算部１２の出力信号に応じてＬＣＤ（Ｌｉｑｕｉｄ  Ｃｒｙｓｔａｌ  Ｄｉｓｐｌａｙ）モジュール１４に表示を行うＢＢ（ベースバンド）  ＬＳＩ（大規模集積回路）１３と、ＬＣＤモジュール１４と、赤外線送受信部１１との間のデータを処理するデータ処理部１５とを備えて構成されている。尚、携帯電話装置１の無線通信手段及び通話手段等は本発明に直接関係しないので、その構成及び動作の説明は省略する。
【００１２】
赤外線送受信部１１は発光素子１１ａと受光素子１１ｂとを備え、これら発光素子１１ａ及び受光素子１１ｂによって、データ処理部１５からのデータ及びデータ処理部１５へのデータに対するデータ送受信等の通常の赤外線通信を行う。
【００１３】
演算部１２は赤外線送受信部１１から入力される発光素子１１ａからの赤外線の照射開始及び反射したきた赤外線の受光素子１１ｂでの受光検出各々のタイミング差から被対象物２までの距離を演算する。
【００１４】
ＢＢ  ＬＳＩ１３は演算部１２からのデータに応じてＬＣＤモジュール１４へその演算情報を表示する。かくして、被対象物２との間の距離情報がＬＣＤモジュール１４に表示されることとなる。
【００１５】
まず、赤外線送受信部１１の動作について説明する。赤外線送受信部１１は、通常、図示せぬ情報処理装置との間でデータを送受信するために赤外線通信を行う。
【００１６】
本実施例では、赤外線送受信部１１において通常とは異なる使い方も可能となっている。すなわち、本実施例では、被対象物２までの距離測定を行う場合、赤外線送受信部１１の発光素子１１ａから被対象物２へ特定の光度の赤外線を照射し、被対象物２から反射された赤外線を赤外線送受信部１１の受光素子１１ｂで検出する。
【００１７】
演算部１２は赤外線送受信部１１の発光素子１１ａからの照射開始及び受光素子１１ｂによる受光検出のタイミングが入力されると、それらの時間差から被対象物２までの距離を演算する。この演算部１２からの出力信号はＢＢ  ＬＳＩ１３へと入力され、ＢＢ  ＬＳＩ１３は入力信号に応じた距離データをＬＣＤモジュール１４へ表示する。
【００１８】
このように、本実施例では、赤外線送受信部１１の発光素子１１ａからの照射開始及び受光素子１１ｂによる受光検出のタイミングの時間差から被対象物２との距離情報を演算することによって、回路部品を増やすことなく、赤外線送受信機能１１をデータ送受信等の一般的な使用法のみならず、被対象物２までの距離測定に用いることができる。
【００１９】
上述したように、本実施例では、赤外線の照射及び受光各々のタイミング差から、携帯電話装置１と被対象物２との距離を演算検出し、ＬＣＤモジュール１４へ測定距離データを表示することが可能となるので、頭の高さに携帯電話装置を位置させ、床との距離を測定すれば、身長を測定することができる。
【００２０】
また、本実施例では、ゴルフのグリーン上でピンのそばに反射物があれば、ゴルフボールのカップまでの距離を測定することができる。さらに、本実施例では、室内の所要位置に反射物を配置することで、部屋の間取りや天井までの高さ等を測定することができる。
【００２１】
尚、本実施例においては、赤外線送受信部１１の発光素子１１ａから被対象物２へ特定の光度の赤外線を照射する場合、図示せぬキー操作部からの指示に応じて赤外線を照射することも可能である。また、本実施例では予め設定された符号列（データ）を赤外線送受信部１１に与えることで、発光素子１１ａから被対象物２へ特定の光度の赤外線を照射することも可能である。この場合の符号列は予め実験等によって得ることができる。
【００２２】
図２は本発明の他の実施例による携帯電話装置の構成を示すブロック図である。図２において、本発明の他の実施例による携帯電話装置３はＬＣＤモジュール１４をなくし、赤外線送受信部１１内に光度切替部１１ｃを設けた以外は図１に示す本発明の一実施例と同様である。また、携帯電話装置３の無線通信手段及び通話手段等は本発明に直接関係しないので、その構成及び動作の説明は上記と同様に省略する。
【００２３】
本発明の他の実施例では、演算部１２で演算検出した距離データを利用する方法についてさらに工夫している。つまり、ＢＢ  ＬＳＩ１３は演算部１２で演算検出した距離データに応じた赤外線光度切替信号を赤外線送受信部１１に出力する。
【００２４】
赤外線送受信部１１はその内部に光度切替部１１ｃを備えており、光度切替部１１ｃはＢＢ  ＬＳＩ１３からの赤外線光度切替信号の入力によって、発光素子１１ａからの赤外線発光の光度を切替えることができる。
【００２５】
したがって、本実施例では、予め携帯電話装置３と被対象物２（本実施例では赤外線通信可能な他の携帯電話装置等）との距離を測定しておき、距離が短い時には光度を小さく、距離が長い時には光度を大きくし、上述した通常の赤外線データ通信を行う。これにによって、本実施例では、赤外線通信の省電力化及び通信品質のアップを図ることができる。
【００２６】
図３は本発明の別の実施例による携帯電話装置の構成を示すブロック図である。図３において、本発明の別の実施例による携帯電話装置４はＬＣＤモジュール１４のかわりにカメラモジュール４１を設けた以外は図１に示す本発明の一実施例と同様である。また、携帯電話装置４の無線通信手段及び通話手段等は本発明に直接関係しないので、その構成及び動作の説明は上記と同様に省略する。
【００２７】
本発明の別の実施例では、演算部１２で演算検出した距離データを利用する方法についてさらに工夫している。つまり、ＢＢ  ＬＳＩ１３は距離データに応じた焦点距離切替信号をカメラモジュール４１に出力する。
【００２８】
カメラモジュール４１は焦点距離切替部（図示せず）を有しており、ＢＢ  ＬＳＩ１３からの切替信号の入力によって、焦点距離切替部にてカメラ（図示せず）の焦点距離を切替えることができる。
【００２９】
したがって、本実施例では、カメラ使用時に、予め携帯電話装置４と被対象物２（本実施例の場合は被写体）との距離を測定しておき、距離が短い時にはマクロ撮影対応の設定、距離が長い時には通常撮影の焦点距離設定でそれぞれ撮影を行う。これによって、本実施例では、焦点距離調整を自動で行うことができる。
【００３０】
図４は本発明のさらに別の実施例による携帯電話装置の構成を示すブロック図である。図４において、本発明のさらに別の実施例による携帯電話装置５はＬＣＤモジュール１４のかわりにカメラ用ライト部５１を設けた以外は図１に示す本発明の一実施例と同様である。また、携帯電話装置４の無線通信手段及び通話手段等は本発明に直接関係しないので、その構成及び動作の説明は上記と同様に省略する。
【００３１】
本発明のさらに別の実施例では、演算部１２で演算検出した距離データを利用する方法についてさらに工夫している。つまり、ＢＢ  ＬＳＩ１３は距離データに応じたライト光度切替信号をカメラ用ライト部５１に出力する。
【００３２】
カメラ用ライト部５１は発光光度切替部（図示せず）を有しており、ＢＢ  ＬＳＩ１３からのライト光度切替信号入力によって、被対象物２に対する発光光度を切替えることができる。
【００３３】
したがって、本実施例では、予め携帯電話装置５と被対象物２（本実施例の場合は被写体）との距離が短い時に光度少での発光、距離が長い時に光度大での発光を行うことができる。これによって、被写体がちょうどよい照度となるようにカメラ用ライト部５１でのライト発光制御を行うことができるので、良好な画像を得ることができる。
【００３４】
尚、上述した本発明の各実施例は各々単独で使用する場合について述べているが、それぞれの実施例を組合せて使用することも可能であり、これに限定されるものではない。
【００３５】
【発明の効果】
以上説明したように本発明は、上記のような構成及び動作とすることで、回路部品を増やすことなく、赤外線通信機能を一般的な使用法のみならず、被対象物までの距離測定に用いることができるという効果が得られる。
【図面の簡単な説明】
【図１】本発明の一実施例による携帯電話装置の構成を示すブロック図である。
【図２】本発明の他の実施例による携帯電話装置の構成を示すブロック図である。
【図３】本発明の別の実施例による携帯電話装置の構成を示すブロック図である。
【図４】本発明のさらに別の実施例による携帯電話装置の構成を示すブロック図である。
【符号の説明】
１，３〜５  携帯電話装置
２  被対象物
１１  赤外線送受信部
１１ａ  発光素子
１１ｂ  受光素子
１１ｃ  光度切替部
１２  演算部
１３  ＢＢ  ＬＳＩ
１４  ＬＣＤモジュール
１５  データ処理部
４１  カメラモジュール
５１  カメラ用ライト部
【図１】
2004325609.tif 000003
【図２】
2004325609.tif 000004
【図３】
2004325609.tif 000005
【図４】
2004325609.tif 000006